(57)【要約】      （修正有）【課題】照明装置から発生する熱を利用して、ユーザーの使用に適した箇所を効果的に防曇できる照明付き防曇鏡を提供する。【解決手段】照明付き防曇鏡は、鏡面を有する鏡体１と、この鏡体１に取り付けられた照明装置２とを備える。照明装置２は、導光部３と、光源２１と、放熱板５とを備える。導光部３は、鏡体１の端縁に沿うように配置される。光源２１は、この導光部３内に光を入射させる。放熱板５は、光源２１に熱的に接続される。そして、放熱板５は、鏡体１の裏面の中央に重ねられ、光源２１から発生する熱によって当該鏡面の中央を加熱する。【選択図】図２
2015213687.tif 000002
【特許請求の範囲】
【請求項１】
鏡面を有する鏡体と、
この鏡体に取り付けられた照明装置と
を備え、
前記照明装置は、
前記鏡体の端縁に沿うように配置された導光部と、
この導光部内に光を入射させる光源と、
この光源に熱的に接続された放熱板と
を有し、
前記放熱板は、前記鏡体の裏面の中央に重ねられ、前記光源から発生する熱によって当該鏡面の中央を加熱する
ことを特徴とする照明付き防曇鏡。
【請求項２】
前記光源は、前記鏡体の長辺側の端縁の中央部に設けられており、
前記導光部は、前記鏡体の長辺側の端縁に沿うように前記光源の両側に設けられた複数の導光棒を有している
ことを特徴とする請求項１記載の照明付き防曇鏡。
【請求項３】
前記導光部は、
鏡面の前方に向かって光を出射させる第１の出射面と、
当該導光部の長手方向の端部に設けられて、当該長手方向に沿って光を出射させる第２の出射面と
を備えている
ことを特徴とする請求項１または請求項２に記載の照明付き防曇鏡。
【発明の詳細な説明】
【技術分野】
【０００１】
本発明は、照明付き防曇鏡に関する。
【背景技術】
【０００２】
特許文献１には、従来の防曇鏡が開示されている。この特許文献１記載の防曇鏡（特許文献１では照明付き鏡）は、鏡本体と、鏡本体の裏側に設けられた発光ダイオード灯具と、この発光ダイオード灯具に接触した面状放熱部材とを備えている。発光ダイオード灯具は、鏡本体の裏面に上下方向に所定ピッチで複数配列されている。面状放熱部材は、鏡本体の裏面の全面に亙って積層一体化されている。
【０００３】
この特許文献１記載の照明付き鏡は、発光ダイオード灯具が発光すると、発光ダイオード灯具から発生する熱によって、鏡本体が加熱され、これと同時に面状放熱部材も加熱される。すると、面状放熱部材に伝導した熱は、面方向に伝導し、鏡本体の発光ダイオード灯具が設けられていない箇所にも伝わる。これにより、特許文献１の照明灯付き鏡は、発光ダイオード灯具が設けられた箇所だけでなく、それ以外の箇所においても鏡の曇りを防止しようとするものである。
【先行技術文献】
【特許文献】
【０００４】
【特許文献１】特開２００８−２２０４９３号公報
【発明の概要】
【発明が解決しようとする課題】
【０００５】
しかしながら、この特許文献１記載の照明付き鏡は、面状放熱部材が鏡本体の裏面の全面に亙って設けられているため、発光ダイオード灯具から発生する熱が広範囲に分散してしまうという問題があった。つまり、この特許文献１記載の照明付き鏡では、ユーザーは鏡本体の鏡面中央を使用することが多いにも拘わらず、縁部のみが曇り止めできるに留まり、鏡面中央の曇り止めを効果的に行うことができない。
【０００６】
本発明は、上記事情に鑑みてなされたものであり、その目的とするところは、照明装置から発生する熱を利用して、ユーザーの使用に適した箇所を効果的に防曇できる照明付き防曇鏡を提供することにある。
【課題を解決するための手段】
【０００７】
本発明の照明付き防曇鏡は、鏡面を有する鏡体と、この鏡体に取り付けられた照明装置とを備え、前記照明装置は、前記鏡体の端縁に沿うように配置された導光部と、この導光部内に光を入射させる光源と、この光源に熱的に接続された放熱板とを有し、前記放熱板は、前記鏡体の裏面の中央に重ねられ、前記光源から発生する熱によって当該鏡面の中央を加熱することを特徴とする。
【発明の効果】
【０００８】
本発明の照明付き防曇鏡によれば、照明装置から発生する熱を利用して、ユーザーの使用に適した箇所を効果的に防曇することができる。
【図面の簡単な説明】
【０００９】
【図１】本実施形態の照明付き防曇鏡の正面図である。
【図２】本実施形態の照明付き防曇鏡の後方から見た斜視図である。
【図３】本実施形態の照明付き防曇鏡の後方から見た分解斜視図である。
【図４】本実施形態の照明装置の分解斜視図である。
【図５】本実施形態の照明装置の分解斜視図である。
【図６】本実施形態の照明付き防曇鏡の下端部の後方から見た斜視図である。
【発明を実施するための形態】
【００１０】
以下、本発明の実施形態について添付図面に基づいて説明する。
【００１１】
本実施形態の照明付き防曇鏡は、脱衣室内や浴室内で使用される。照明付き防曇鏡は、例えば、壁面に直接取り付けられたり、洗面化粧台のキャビネットの扉に取り付けられたりして用いられる。照明付き防曇鏡は、図１に示すように、鏡体１と、照明装置２とを備えている。
【００１２】
鏡体１は、前方に臨んだ鏡面１１を有する。鏡体１の鏡面１１は、例えば、ガラス板の裏側に鏡面蒸着を施すことで構成される。鏡体１は、上下方向に長さを有し、左右方向に幅を有しており、正面視矩形状に形成されている。また、鏡体１は前後方向に厚さを有している。
【００１３】
鏡面１１には、曇止領域１２が設けられている。曇止領域１２は、鏡面１１における他の領域に比べて曇りにくい一定の領域である。曇止領域１２は、鏡面１１の中央部（例えば、上下方向の全長のうち１／３に相当する長さが好ましい）に設けられている。曇止領域１２は、後述のように、照明装置２の光源２１から発せられる熱を利用して当該領域を加熱し、これにより、鏡面１１に生ずる結露の発生を防止した領域である。
【００１４】
照明装置２は、鏡体１に取り付けられている。照明装置２は、図２に示すように、鏡体１の裏側に取り付けられている。照明装置２は、光源２１と、光源２１から発せられた光を取り込んで発光する導光部３と、放熱板５と、フレーム部４と、カバー体６とを備えている。
【００１５】
放熱板５は、光源２１に熱的に接続されており、光源２１から発する熱を放熱する。放熱板５は、鏡体１の裏面に重ねて取り付けられる。放熱板５は、鏡体１の裏面の中央（詳しくは、上下方向の中間部分で且つ左右方向の全長に亙る領域）に配置される。この放熱板５は、第１の放熱部５１と、第２の放熱部５２とを備えている。
【００１６】
なお、第２の放熱部５２は、第１の放熱部５１を上下反転したものであり、第１の放熱部５１と同じ構造である。このため、以下においては、第１の放熱部５１について説明する。
【００１７】
第１の放熱部５１は、図３に示すように、重ね部５３と、連結部５４とを備えている。重ね部５３は、上下方向に幅を有し、左右方向に長さを有し、背面視矩形状をしている。重ね部５３は、鏡体１の裏面に接着層（図示せず）を介して固定され、これによって、鏡体１の裏面に密着する。接着層は、例えば、熱伝導性の高い接着剤や粘着テープ等によって構成される。
【００１８】
連結部５４は、重ね部５３の上端から後方に向かって立ち上げられている。連結部５４は、前後方向に幅を有し、左右方向に長さを有している。連結部５４は、第２の放熱部５２の連結部５４に固着具を介して接続される。この連結部５４の長さ方向の両端には、光源２１が熱的に接続された状態で取り付けられている。
【００１９】
光源２１は、図４に示すように、導光部３の端面（入射面３２）に向かって光を発し、これにより、導光部３内に光を入射させる。光源２１は、複数のＬＥＤ２２（Light Emitting Diode）を備えている。各ＬＥＤ２２は、基板にＬＥＤ発光素子が実装されることで構成される。ＬＥＤ２２は、連結部５４の長さ方向の端部に１つ設けられている。これにより光源２１は、鏡体１の長辺側の端縁（左右の端縁）の中央部に設けられる。各ＬＥＤ２２は、導光部３の端面に対向配置される。
【００２０】
導光部３は、光源２１から発せられた光を取り込んで発光する。導光部３は、図１に示すように、上下方向に長さを有しており、鏡体１の長辺側の端縁に沿うように配置される。導光部３は、正面視において鏡面１１の左右両側に隣接配置されている。導光部３は、正面視において鏡体１に重なっていない。
【００２１】
導光部３は、複数の導光棒３１により構成される。導光棒３１は、図４に示すように、鏡体１の長辺側の端縁に沿うように配置されている。導光棒３１の長手方向の端面（つまり、入射面３２）は、ＬＥＤ２２の発光方向に対向配置されている。ＬＥＤ２２は、第２の放熱部５２にも設けられている。これにより、上下一対の導光棒３１は、光源２１の両側に位置するように配置される。
【００２２】
導光棒３１は、放熱板５および鏡体１に固定されるフレーム部４に保持される。導光棒３１は、第１の放熱部５１の左右方向の端部に設けられている。これにより、左右一対の導光棒３１は、第１の放熱部５１の左右方向の両端に設けられる。
【００２３】
なお、左右一対の導光棒３１は、第２の放熱部５２の左右方向の両端にも設けられている。各導光棒３１およびフレーム部４は、同じ構造であるため、第１の放熱部５１に設けられた導光棒３１についてのみ説明する。
【００２４】
フレーム部４は、導光棒３１を保持するホルダー４１と、ホルダー４１を支持固定するベース４５と、ベース４５を鏡体１に固定する取付部材４６とを備えている。ホルダー４１は、導光棒３１を保持する保持部４２と、保持部４２の後部から後方に向かって突出した取付部４３と、放熱板５の連結部５４に連結されるねじ孔４４とを備えている。
【００２５】
保持部４２は、断面略Ｕ字状をしており、内部に導光棒３１が嵌め込まれる。これにより保持部４２は、導光棒３１を保持する。保持部４２は、導光棒３１を上下方向にスライド自在で、且つ前後方向および左右方向に移動規制した状態で保持する。具体的に、保持部４２は、後述の拡散部３３を保持することで、導光棒３１の前後方向および左右方向の移動を阻止する。
【００２６】
ねじ孔４４の内周面には雌ねじが設けられている。ホルダー４１は、連結部５４のねじ孔に通された固着具がねじ孔４４にねじ込まれることで、導光棒３１の端面と連結部５４との位置関係を一定に保つ。これにより、光源２１から発せられる光のロスを防ぎ、また、光源２１と連結部５４との熱的な接続を保つことができる。
【００２７】
なお、図３，４においては図示を省略したが、放熱板５の連結部５４と導光棒３１との間には、図２に示すように、光源２１を収容するケース８が設けられる。
【００２８】
ベース４５は、ホルダー４１を長さ方向の全長に亙って支持する。ベース４５は、平面視Ｕ字状をしており、内部にホルダー４１の取付部４３が嵌め込まれる。ベース４５は、断面Ｌ字状の取付部材４６を介して鏡体１の裏側に固定される。
【００２９】
導光棒３１は、ホルダー４１の内部に嵌め込まれている。導光棒３１は、光源２１から発せられた光を取り込む入射面３２と、入射面３２から入射した光を拡散反射させる拡散部３３と、内部に取り込んだ光を外部に出射させる出射面３４とを備えている。
【００３０】
入射面３２は、導光棒３１の上端面（すなわち、中央側の端面）に設けられる。入射面３２は、光源２１に対向配置されている。入射面３２は、光源２１から発せられた光を導光棒３１内に入射する。
【００３１】
拡散部３３は、導光棒３１の後部に上下方向の全長に亙って設けられる。拡散部３３は、導光棒３１内に入射して全反射を繰り返す光を拡散（乱反射）させ、これによって、前方に臨む出射面３４から光を出射させる。
【００３２】
出射面３４は、導光棒３１内に取り込まれた光を外部に出射させる。出射面３４は、第１の出射面３５と、第２の出射面３６（図５）とを備えている。
【００３３】
第１の出射面３５は、鏡体１の前方に臨むように配置されており、これにより、当該前方に向かって光を出射させる。第１の出射面３５は拡散部３３とは反対側に設けられており、拡散部３３に反射した光は、第１の出射面３５から出射するように構成されている。
【００３４】
第２の出射面３６は、図５に示すように、導光棒３１の長手方向において、光源２１とは反対側の端面に設けられている。すなわち、第２の出射面３６は、導光部３の長手方向の一方の端部に設けられている。これにより、第２の出射面３６は、導光部３の長手方向に沿って光を出射させ、鏡体１の長手方向の外方側に向かって光を出射させる。
【００３５】
なお、ベース４５の下端には抜け止め部材４７が取り付けられる。抜け止め部材４７は、導光棒３１が下方に抜け落ちないように抜け止めする。抜け止め部材４７は、透明な樹脂材によって構成される。抜け止め部材４７は、図６に示すように、固着具が通され、ベース４５のねじ孔４４にねじ込まれることでベース４５に固定される。
【００３６】
カバー体６は、第１の出射面３５を覆うようにして取り付けられる。カバー体６は、透明または半透明な樹脂材によって構成される。カバー体６は、図１に示すように、鏡体１の長さ方向の長さとほぼ同じ長さとなるように形成されている。
【００３７】
本実施形態の照明付き防曇鏡は、光源２１が発光すると、各導光棒３１の入射面３２を介して光が入射する。導光棒３１に入射した光は、導光棒３１内において全反射を繰り返し、反対側の端部に向かう。すると、その光は、一部の光が拡散部３３によって拡散し、第１の出射面３５から出射し、他の光が第２の出射面３６から出射する。
【００３８】
光源２１による発光を継続すると、光源２１には熱が生ずる。すると、光源２１から発生した熱は、放熱板５の連結部５４に伝導し、その後、重ね部５３に伝導する。重ね部５３に伝導した熱は、鏡体１の曇止領域１２に対応する箇所を加熱し、これにより、曇止領域１２における曇り止め効果を発揮する。
【００３９】
本実施形態の照明装置２は、図２に示すように、鏡体１の下部に配置される第１のユニット７１と、鏡体１の上部に配置される第２のユニット７２とから構成される。第１のユニット７１は、光源２１と、導光棒３１と、放熱板５と、フレーム部４とがユニットとして構成される。第２のユニット７２は、第１のユニット７１を上下反転して設置されたものであり、同じ構造となっている。従って、本実施形態の照明付き防曇鏡によれば、照明装置２を鏡体１に取り付ける作業を容易にできる。
【００４０】
以上説明したように、本実施形態の照明付き防曇鏡は、鏡面１１を有する鏡体１と、この鏡体１に取り付けられた照明装置２とを備える。照明装置２は、導光部３と、光源２１と、放熱板５とを備える。導光部３は、鏡体１の端縁に沿うように配置される。光源２１は、この導光部３内に光を入射させる。放熱板５は、光源２１に熱的に接続される。そして、放熱板５は、鏡体１の裏面の中央に重ねられ、光源２１から発生する熱によって当該鏡面１１の中央を加熱する。
【００４１】
このように本実施形態の照明付き防曇鏡は、光源２１から生じた熱によって鏡面１１の中央を加熱するため、鏡面１１の中央が曇るのを防ぐことができる。鏡面１１の中央は、鏡面１１においてユーザーが最も使用するのに適した場所である。すなわち、本実施形態の照明付き防曇鏡によれば、照明装置２から発生する熱を利用して、ユーザーの使用に適した箇所を効果的に防曇することができる。
【００４２】
言い換えると、本実施形態の照明付き防曇鏡は、鏡面１１の中央だけを曇り止めし、上下方向の両端は曇り止めしないため、光源２１から生ずる熱を鏡面１１の中央に集中させることができて、効率よく防曇できる。
【００４３】
また、本実施形態の光源２１は、鏡体１の長辺側の端縁の中央部に設けられている。導光部３は、複数の導光棒３１を有している。複数の導光棒３１は、鏡体１の長辺側の端縁に沿うように、光源２１の両側に設けられている。
【００４４】
このため、本実施形態の照明付き防曇鏡によれば、光源２１を鏡体１の中央に近い位置に配置することができるため、光源２１から発生する熱を効果的に鏡面１１の中央の曇り止めに利用することができる。この結果、本実施形態の照明付き防曇鏡によれば、鏡体１に沿って発光させながら、効果的な曇り止めを図ることができる。
【００４５】
また、本実施形態の導光部３は、鏡面１１の前方に向かって光を出射させる第１の出射面３５と、導光部３の長手方向の端部に設けられて、当該長手方向に沿って光を出射させる第２の出射面３６とを備えている。
【００４６】
このため、本実施形態の照明付き防曇鏡によれば、第１の出射面３５から発せられる光によりユーザーを直接照明し、第２の出射面３６から発せられる光により他の箇所を照明することができる。この結果、例えば、本実施形態の照明付き防曇鏡を洗面化粧台に用いた場合には、ユーザーと洗面台とを同時に照明できる。また、例えば、本実施形態の照明付き防曇鏡を直接壁面に取り付けた場合には、ユーザーを照明すると共に天井を照らすことで間接照明を行うことも可能である。
【００４７】
なお、図２に示すように、本実施形態の照明付き防曇鏡において、放熱板５の裏面を覆うように断熱材９が設けられてもよい。これにより、放熱板５に伝導した熱の空間への放熱を抑制し、大部分を鏡体１側に伝導させることができる。この結果、より効果的に鏡面１１の曇り止めを図ることができる。
【符号の説明】
【００４８】
１      鏡体
１１    鏡面
１２    曇止領域
２      照明装置
２１    光源
２２    ＬＥＤ
３      導光部
３１    導光棒
３２    入射面
３３    拡散部
３４    出射面
３５    第１の出射面
３６    第２の出射面
４      フレーム部
４１    ホルダー
４２    保持部
４３    取付部
４４    ねじ孔
４５    ベース
４６    取付部材
４７    抜け止め部材
５      放熱板
５１    第１の放熱部
５２    第２の放熱部
５３    重ね部
５４    連結部
６      カバー体
７１    第１のユニット
７２    第２のユニット
８      ケース
【図１】
2015213687.tif 000003
【図２】
2015213687.tif 000004
【図３】
2015213687.tif 000005
【図４】
2015213687.tif 000006
【図５】
2015213687.tif 000007
【図６】
2015213687.tif 000008